(57)【要約】【課題】  散弾の回収が容易な停弾及び回収装置の提供。【解決手段】  射手40が発射した散弾は、第１樹脂シート21、第２樹脂シート22、第３樹脂シート23の順に減速されつつ貫通し、第１プレート31、第２プレート32により受け止められ、停弾及び回収装置10の下に落下する。落下した散弾は、飛散範囲が小さいので、容易に回収できる。【選択図】  図１
2007078297.tif 000002
【特許請求の範囲】
【請求項１】
一部が支持され、懸垂された１枚又は２枚以上の減速手段と、プレートとを有する散弾の停弾及び回収装置であって、
銃器から発射された散弾が前記減速手段により減速され、最終的に前記プレートにより受け止められるものである、散弾の停弾及び回収装置。
【請求項２】
前記減速手段が、熱可塑性樹脂、天然又は合成ゴム、天然又は合成繊維、紙、不織布及びこれらの複合体から選ばれる材質からなるシート状のものである、請求項１記載の散弾の停弾及び回収装置。
【請求項３】
前記減速手段が四角形のシート状のもので、一部が支持された状態で懸垂されたものである、１又は２記載の散弾の停弾及び回収装置。
【請求項４】
２枚以上の前記減速手段が間隔をおいて懸垂され、１枚目の前記減速手段に的が描かれている、請求項１〜３のいずれかに記載の散弾の停弾及び回収装置。
【請求項５】
屋外又は屋内において、請求項１〜４のいずれかに記載の散弾の停弾及び回収装置を配置して、銃器から前記停弾及び回収装置に向かって発射された散弾を回収する方法。
【発明の詳細な説明】
【技術分野】
【０００１】
本発明は、銃器から発射された散弾の停弾及び回収装置、前記装置で散弾を回収する方法に関する。
【背景技術】
【０００２】
スキート射撃、トラップ射撃等の射撃競技では、散弾を含んだ装弾が使用される。前記装弾は、直径が２〜２．５ｍｍの約４００〜６５０粒もの鉛製の散弾を含むもので、射撃後、これらの散弾が更に小さな粒となって飛散するが、飛散した全ての散弾を回収することは困難である。また、鉛散弾が標的（クレーー）や地面等に衝突した際には、衝撃により鉛粉塵が発生することがあり、この鉛粉塵は射撃場にそのまま残留して、外力を加えると容易に飛散する。このため、射撃場等に残存する鉛による環境汚染や、鉛散弾を除去する際の作業の安全性が問題となっている。
【０００３】
特許文献１には、フレームと、該フレームを覆う表面層と、該表面層の内側に充填された、取り出し可能なチップ状の弾粘性部材の充填層からなる停弾装置が開示されている。この装置は、充填層にて銃弾を減速・停止させ、捕捉するものであり、充填層には、外径１０〜３０ｍｍの不定形に粉砕したゴムが使用されている。特許文献２〜５には、各種の停弾装置等が開示されている。
【特許文献１】特開２００２−６２０９５号公報
【特許文献２】特開平８−１３６１９４号公報
【特許文献３】特開平８−３３４２９７号公報
【特許文献４】特開平９−１７０８９９号公報
【特許文献５】特開２０００−１５４９９８号公報
【発明の開示】
【発明が解決しようとする課題】
【０００４】
特許文献１の停弾装置で回収対象としているのは散弾ではない銃弾であり、散弾についての記載はない。また、特許文献１の停弾装置で散弾の回収をしようとした場合、充填層内に入った散弾とチップ状の弾粘性部材との分離が困難になるため、散弾への応用は困難である。
【０００５】
特許文献２〜５には、複数部材を組み合わせた停弾装置等が開示されているが、これらの装置では、基本的に複数の構成部材は固定されている。
【０００６】
本発明は、射撃場等にて発射された散弾を簡単に回収できる散弾の停弾及び回収装置、前記装置を用いた散弾の停弾及び回収方法を提供することを課題とする。
【課題を解決するための手段】
【０００７】
本発明は、課題の解決手段として、一部が支持され、懸垂された１枚又は２枚以上の減速手段と、プレートとを有する散弾の停弾及び回収装置であって、
銃器から発射された散弾が前記減速手段により減速され、最終的に前記プレートにより受け止められるものである、散弾の停弾及び回収装置を提供する。
【０００８】
銃器から発射された装弾中の散弾（鉛散弾）は、減速手段に衝突（着弾）して貫通することで著しく減速され、最終的にプレートに衝突して、落下する。落下した鉛散弾は狭い範囲に留まっているため、例えば、掃除機のようなもので吸引することで、容易に回収することができる。また、減速手段は、装弾中、鉛散弾以外の構成部品であるワッズ類や標的（クレー）の破片等を捕捉して落下させる作用もする。
【０００９】
減速手段の大きさは、射手の位置から的（減速装置）までの距離等に応じて、減速手段に全ての散弾が確実に着弾するような大きさに調整する。
【００１０】
減速手段の枚数は、射手の位置から的（減速装置）までの距離等に応じて増減する。減速手段の枚数は、例えば、予め実射試験をして最適枚数を決定することができるが、その場合には、予め過剰枚数の減速手段を用い、少しずつ減らして最適枚数を求めることにより、実射試験中においても鉛散弾の飛散を防止できる。
【００１１】
減速手段を複数枚用いたときは、減速手段同士を接触させた状態で配置してもよいが、減速効果を高めて減速手段の枚数を減少させる観点からは、各減速手段間に間隔をおいた状態で配置することが好ましい。
【００１２】
減速手段は、鉛散弾が貫通することを前提とするものであり、プレートは鉛散弾を貫通させずに受け止めるものであるから、それぞれの作用に応じた材質を選択する。プレートは複数枚を使用することもでき、このような場合には、散弾が１枚目のプレートを貫通しても、最終のプレートを貫通しなければよい。また、プレートは、２種以上の異なる材質のものを組み合わせて一体にした複合体でもよいし、２種以上の異なる材質のものを複数枚用いてもよい。
【００１３】
停弾及び回収装置を軽量化して持ち運びを容易にする観点からは、プレートは合成樹脂製のものが好ましく、散弾をめり込ませて、鉛粉塵の発生を防止する観点からは木材が好ましい。合成樹脂製のプレートとしては、更に耐衝撃性、耐熱性、耐候性が良好であるほか、弾力性と粘性があり、変形し難く、割れ難いため、ポリカーボネート、ポリアミド、ポリアセタール等が好ましいが、これらの以外の熱可塑性樹脂、熱硬化性樹脂でもよい。プレートの厚さは、材質に応じて散弾が貫通しない厚さに調整することができ、ポリカーボネートであれば、厚さ０．５〜１０ｍｍ、好ましくは１〜３ｍｍである。プレートは、１枚又は２枚以上を用いることができる。
【００１４】
プレートは、全体として１枚のものでもよいし、複数枚の小さなプレート片を組み合わせて、１枚のプレートにしたものでもよい。例えば、複数分割された枠（例えば９分割された枠。１つずつの枠の大きさは、同一でも異なっていてもよい）を用意して、そこに９枚のプレート片の全てを着脱自在になるように取り付ける。このようにすることで、散弾が繰り返して衝突してプレートが損傷しても、損傷の激しいプレート片のみを交換すればよいので、維持費用が抑制でき、資源の無駄使いも防止できる。枠は、プレートと同じ材質からなるものを用いることができる。
【００１５】
減速手段の支持及び懸垂方法、プレートの支持方法は特に制限されるものではない。例えば、２本の支柱と、２本の支柱から直角方向に延ばされた２本のアーム（設置面と平行に延びている）とを有するフレーム部材（側面形状が逆Ｌ字型）を用意し、２本の支柱を地面乃至は床面に固定し（必要に応じてキャスターを付けて、固定できると共に、移動可能にしておいてもよい）、２本のアームに跨るように必要枚数の減速手段を支持・懸垂すればよい。
【００１６】
本発明は、課題の解決手段として、前記減速手段が、熱可塑性樹脂、天然又は合成ゴム、天然又は合成繊維、紙、不織布及びこれらの複合体から選ばれる材質からなるシート状のものである、請求項１記載の散弾の停弾及び回収装置を提供する。
【００１７】
減速手段となるシートの厚さや枚数は、材質、射手の位置から的（減速装置）までの距離等に応じて求められる減速効果との関係で決定することができる。例えば、厚くした場合には、枚数は少なくして、逆に薄くした場合には、枚数を多くすることで、所望の減速効果が得られるように調整する。また、減速効果を高める観点から、減速手段となるシートの表面に粘着物質の層を設けることもできる。
【００１８】
シートの厚さと枚数の例としては、厚さ０．５〜１０ｍｍ、好ましくは１〜３ｍｍの熱可塑性樹脂シートであれば、２〜５枚を用いることが好ましい。熱可塑性樹脂シートとしては、柔軟性が良いものが好ましく、ポリエチレン、ポリプロピレン、ポリスチレン、ポリ塩化ビニル、ポリエステル等を挙げることができる。このような熱可塑性樹脂を用いることにより、散弾が貫通するときの熱で溶融することで、減速効果を高めるように作用するので好ましい。
【００１９】
減速手段は、樹脂シートのような、目視により全く孔が観察されないものでもよいが、天然又は合成繊維を織ることで作製された織布のように、繊維が折り重なって形成され、目視によりごく小さな孔が観察されるものが好ましい。このような織布は、散弾が貫通した場合の貫通孔部分の復元効果がシートに比べると優れているので、使用可能回数が長くなり、維持費用を低減できる。
【００２０】
本発明は、課題の解決手段として、前記減速手段が四角形のシート状のもので、一部が支持された状態で懸垂されたものである、１又は２記載の散弾の停弾及び回収装置を提供する。
【００２１】
減速手段が長方形のシートの場合、一方の短辺又は長辺、或いは前記各辺における２つの角部分を支持して懸垂することができる。
【００２２】
本発明は、課題の解決手段として、２枚以上の前記減速手段が間隔をおいて懸垂され、１枚目の前記減速手段に的が描かれている、請求項１〜３のいずれかに記載の散弾の停弾及び回収装置を提供する。
【００２３】
的は、停弾及び回収装置と別に設けてもよいが、停弾及び回収装置に的を設けることで、別途、的を設ける必要がなくなる。
【００２４】
複数枚の減速手段を用いたときの間隔は、減速効果を高めると共に、停弾及び回収装置自体を余り大きくしないため、１〜１００ｃｍが好ましく、１０〜３０ｃｍがより好ましい。
【００２５】
本発明は、他の課題の解決手段として、屋外又は屋内において、請求項１〜４のいずれかに記載の散弾の停弾及び回収装置を配置して、銃器から前記停弾及び回収装置に向かって発射された散弾を回収する方法を提供する。
【００２６】
本発明の停弾及び回収装置は、従来のように屋外だけではなく、屋内でも使用することができるようになる。屋内で使用する場合、床面がコンクリート等であるため、屋外のような地面と比べると散弾の回収が容易になるとの利点のほか、周囲に及ぼす射撃音を軽減できるという利点もある。
【発明の効果】
【００２７】
本発明の散弾の停弾及び回収装置によれば、鉛散弾の回収が容易であり、鉛粉塵の発生を防止できるため、環境に与える悪影響を大きく減少させることができる。更に本発明の散弾の停弾及び回収装置を使用することにより、屋内での射撃競技の開催もできるようになるため、射撃競技の普及にも寄与することができる。
【発明を実施するための最良の形態】
【００２８】
＜散弾の停弾及び回収装置＞
以下、図１により、実施形態を説明する。図１は、本発明の停弾及び回収装置の使用方法の説明図である。
【００２９】
散弾の停弾及び回収装置１０は、フレーム１１と減速手段であるシート２１〜２３、プレート３１、３２の組み合わせからなるものである。シート２１〜２３は、天然又は合成繊維からなる織布を用いる。織布にすることにより、同じ厚さの樹脂シートと比べると軽量化できるほか、散弾が貫通したときの貫通孔の復元作用が単なる樹脂シートよりも優れている。
【００３０】
フレーム１１は、２本の支柱１２、１３と、支柱１２、１３から直角乃至それと近似した角度で延ばされた２本のアーム１４、１５とを有しており、２本の支柱１２、１３の根本部分１６、１７は、コンクリート等を用いて、地面に固定されている。
【００３１】
支柱１２、１３の高さは的の高さとの関連で決定されるものであり、必要に応じて、伸縮自在にしたり、複数本の支柱を着脱自在に組み合わせたりすることで、地面からの支柱の高さを所望範囲に設定できるようにしてもよい。
【００３２】
アーム１４、１５の長さは、懸垂するシート２１〜２３の枚数や間隔等に応じて決定される。射撃場等における多様な要求に応じて減速手段の枚数を調整できるようにするため、アーム１４、１５は伸縮自在にしたり、支柱１２、１３に対して着脱自体にしたりすることもできる。
【００３３】
アーム１４、１５には、３枚のシート２１〜２３が一部を支持された状態で懸垂されている。シート２１〜２３をアーム１４、１５に支持する方法は特に制限されるものでなく、アーム１４、１５に設けられたクランプにより、シートを２点で挟んで固定する方法、アーム１４、１５に設けられたフックに、シートの２つの角部に設けられた穴を引っ掛ける方法等を適用することができる。
【００３４】
第１シート２１は、最初に着弾する第１減速手段となるものである。第２シート２２は、第１シート２１に続いて着弾する第２減速手段となり、第３シート２３は、第２シート２２に続いて着弾する第３減速手段となる。シート２１〜２３のそれぞれの間隔は同一で、１０〜３０ｃｍの範囲になるように調整されている。
【００３５】
シート２１〜２３は、厚さ１〜３ｍｍ、短辺１〜３ｍｍ、長辺１〜５ｍｍの長方形状のものであり、ポリエチレン、ポリプロピレン、ポリスチレン、ポリ塩化ビニル、ポリエステル等から選ばれる熱可塑性樹脂のシートである。なお、前記厚さの範囲内にて、樹脂シートごとに厚さを異ならせてもよい。
【００３６】
なお、広い場所で複数の射手が射撃するような場合には、図示するようなシート２１〜２３に代えて、長尺状シートを展開して用いることもできる。長尺状シートの幅や長さは状況に応じて適宜選択することができ、例えば、幅１〜５ｍｍ、長さ５０〜１００ｍのものを用いることができる。
【００３７】
第１プレート３１は、第３シート２３を貫通した散弾をより一層減速させるように作用するか、又はそれ以上の貫通を阻止して、散弾を受け止め、落下させるように作用するものである。第２プレート３２は、散弾が第１プレート３１を貫通したとき、それ以上の貫通を阻止して、散弾を受け止め、落下させるように作用するものである。ここで、第１プレート３１として散弾が貫通しないもの用い、安全性を確実にする必要がある場合（例えば、射撃競技等で要求される場合）に更に第２プレート３２を配置するようにしてもよい。
【００３８】
第１プレート３１、第２プレート３２は、ポリカーボネート、ポリアミド、ポリアセタール、木材等から選ばれる材質からなる短辺０．５〜３ｍ、長辺１〜５ｍの長方形状のものである。第１プレート３１、第２プレート３２の厚さは、材質によって適宜設定することができ、例えば、ポリカーボネートの場合には、厚さ１〜３ｍｍが好ましい。
【００３９】
第１プレート３１と第２プレート３２は異なる材質のものにしてもよく、第１プレート３１を木材にして、第２プレート３２をポリカーボネートにすることができる。このような組み合わせにすることで、木材製の第１プレート３１において鉛散弾をめり込ませて回収し、鉛散弾が第１プレート３１を貫通した場合には、ポリカーボネート製の第２プレート３２で確実に受け止めるようにできる。なお、長尺状シートを用いた場合には、シート形状に応じて、長尺状のプレートを用いてもよいし、複数枚のプレートを組み合わせて並べてもよい。
【００４０】
本発明の停弾及び回収装置１０において、シート２１〜２３は、損傷の程度に応じて、１回又は複数回使用するごとに取り替える。このとき、シート２１〜２３のそれぞれの取り替え時期は、同じでもよいし、異ならせてもよい。また、プレート３１、３２は、損傷の程度に応じて、複数回の使用により取り替える。プレート３１、３２の取り替え時期は、同じでもよいし、異ならせてもよい。
【００４１】
本発明の停弾及び回収装置１０において、シート２１〜２３、プレート３１、３２又はシート２１〜２３とプレート３１、３２は、それぞれの組み合わせを１セットとして、それぞれの組み合わせごとに１つの支持部材により支持しておき、１つのセットとして、まとめて一度に交換できるようにしてもよい。
【００４２】
＜散弾の回収方法＞
次に、図１により、本発明の散弾の回収方法について説明する。
【００４３】
まず、射撃場等の射撃可能な場所に、散弾の停弾及び回収装置１０を設置する。シート２１〜２３、プレート３１、３２の枚数や厚み等の条件は、射手４０の射撃位置と散弾の発射速度（通常は、５００ｍ／ｓ程度）と着弾時の速度（通常は、３００ｍ／ｓ程度）を考慮して、確実に散弾を捕捉回収できるように設定しておく。
【００４４】
射手４０が、所定の射撃位置（競技の種類により、射撃位置は決まっている）より、散弾銃４１を発射する。２４は、発射後の散弾の状態を示すもので、クレー射撃の場合には、例えば２４の位置でクレーに当たる。
【００４５】
発射された散弾は、第１減速手段である第１シート２１に着弾し（２５は、散弾が着弾した状態を示している）、減速されつつ貫通し、同様にして、第２シート２２、第３シート２３の順に減速されつつ貫通する。このとき、各シートは間隔おいて懸垂されているので、着弾された第１シート２１は第２樹脂シート２２の方に揺れ動くことで減速効果が高められ、以下同様に、第２シート２２は第３シート２３の方に揺れ動くことで減速効果が高められ、第３シート２３は第１プレート３１の方に揺れ動くことで減速効果が高められる。
【００４６】
第３シート２３を貫通した散弾は、第１プレート３１に着弾し、より一層減速された後に一部が貫通するか、又は全部が貫通せずに落下する。第１プレート３１にて散弾を受け止めたとき、直前の第３シート２３は、第１プレート３１に衝突後に跳ね返った散弾の飛散（跳弾の発生）を防止して、落下を促進するように作用する。
【００４７】
第１プレート３１を散弾が通過した場合は、第２プレート３２に着弾し、受け止められて落下する。第２プレート３２にて散弾を受け止めたとき、直前の第１プレート３１は、第２プレート３２に衝突後に跳ね返った散弾の飛散（跳弾の発生）を防止して、落下を促進するように作用する。
【００４８】
第１プレート３１又は第２プレート３２に受け止められて落下した散弾は、停弾及び回収装置の直下付近に散らばっている程度であるため、掃除機のようなもので吸引して容易に回収することができる。
【実施例】
【００４９】
実施例１
図１に示す散弾の停弾及び回収装置を製造した。
【００５０】
フレームの支柱１２、１３：直径３ｃｍ、高さ２００ｃｍで、表面に樹脂をコーティングした鉄製パイプ
フレームのアーム１４、１５：直径２．５ｃｍ、長さ１００ｃｍの表面に樹脂をコーティングした鉄製パイプ
第１〜第３シート２１〜２３：厚さ１ｍｍ、２００ｃｍ四方のポリエチレン製の織布
第１プレート３１、第２プレート３２：厚さ１．５ｍｍ、短辺１００ｃｍ、長辺２００ｃｍポリカーボネート製のプレート
第１シート２１、第２シート２２、第３シート２３の間隔：２５ｃｍ
第３シート、第１プレートの間隔：２５ｃｍ
第１プレート、第２プレートの間隔：２５ｃｍ
アーム１４、１５における樹脂シートの支持方法：樹脂製の帯バンドで止める
支柱１２、１３の根本１６、１７の固定方法：直径３ｃｍのパイプからなる枠台に、予めネジ止めで取り付けられた差し込み孔に、前記支柱の根本１６、１７を差し込んで固定した
射手４０の射撃位置から第１樹脂シート２１までの直線距離：１５ｍ
散弾銃の種類：ＫＦＣ社製の上下二連スキート銃，銃身長２６インチ（約６６ｃｍ）、銃口絞りがスキートチョーク（公称口径１８．４ｍｍ）
装弾の種類：オーストラリア・ウインチェスター社製のスキート装弾で、発射される散弾は、平均直径２ｍｍの通称９号散弾で、重量２８ｇ
まず、最初の一発を実射した後に、第１〜第３シート２１〜２３の貫通孔状態を確認したところ、痕跡は散弾の直径よりも小さな孔であった。
【００５１】
前記痕跡の状態は、散弾が貫通した後に、織布を構成する熱可塑性樹脂の繊維が縮んで孔が小さくなったものと考えられた。３５発全弾実射の完了後においても、同じ状態が観察された。
【００５２】
３５発全弾実射の場合、第１〜第３シート２１〜２３を貫通した全鉛散弾は、第１プレート３１で受け止められ、落下していた。第２プレート３２には、全く着弾痕跡がなかっった。
【００５３】
落下した散弾は、容易に回収できた。ワッズ類は、第１シート２１で捕捉され、全数が第１シート２１の前方に落下していた。
【図面の簡単な説明】
【００５４】
【図１】散弾の停弾及び回収装置の使用説明図。
【符号の説明】
【００５５】
１０  停弾及び回収装置
１１  フレーム
１２、１３  支柱
１４、１５  アーム
２１〜２３  第１〜第３樹脂シート
３１、３２  第１、第２プレート
【図１】
2007078297.tif 000003